(57)【要約】【課題】室内照度センサ異常発生時に周囲が暗いと判断して省エネルギー運転を行うので、ユーザーが不快に感じてしまうため、室内照度センサ異常発生時の省エネルギー運転を抑制し、ユーザーの不快感を低減させる。【解決手段】室内照度センサ異常検知手段４が室内照度センサ検出値が所定値未満の状態を連続で所定時間検知した時に、室内照度センサ２の異常と判断するものである。これによって、室内照度センサ異常発生時の省エネルギー運転を抑制し、ユーザーの不快感を低減させることができる。【選択図】図１
2011089657.tif 000002
【特許請求の範囲】
【請求項１】
室内機の設置場所付近の照度に応じて値が変化する室内照度センサと、この室内照度センサの値を電圧値に変換して出力する室内照度検出手段と、この室内照度検出手段の出力値の異常から室内照度センサの異常を検知する室内照度センサ異常検知手段と、使用者が設定した設定温度を前記室内照度検出手段の出力値に応じて自動的にシフトする室内設定温度シフト手段と、制御部とリモコンと通信する通信手段とを備えた空気調和機であって、前記室内照度センサ異常検知手段が前記室内照度センサ検出値が第１の所定値未満の状態を連続で第１の所定時間検知した時に、前記室内照度センサの異常と判断することを特徴とする空気調和機。
【請求項２】
センサ異常確定後、室内照度センサ検出値が第２の所定値以上の状態を連続で第２の所定時間検知した時に、自動的に異常を解除する異常解除手段を備えた請求項１に記載の空気調和機。
【請求項３】
室内照度センサの異常を検知するかどうかを決定する異常検知判定手段を備えた請求項１または２に記載の空気調和機。
【発明の詳細な説明】
【技術分野】
【０００１】
本発明は空気調和機の運転制御に関するものである。
【背景技術】
【０００２】
従来、この種の空気調和機では、例えば図４に記載された空気調和機があった（例えば、特許文献１参照）。
【０００３】
図４において、室内照度センサ１０２と、室内照度検出手段１０３と、制御部１０４と、リモコン１０５と通信する通信手段１０６を備えた空気調和機１０１であって、室内照度検出手段１０３が室内照度が暗くなったことを検知すると、制御部１０４が空気調和機１０１を省エネルギーとなるように運転制御していた。
【先行技術文献】
【特許文献】
【０００４】
【特許文献１】特開２０００−２１３７９１号公報
【発明の概要】
【発明が解決しようとする課題】
【０００５】
しかしながら、前記従来の構成では、室内照度センサ異常発生時でも暗いと判断し、省エネルギー運転を行うこととなっていた。このため、冷房運転中であればユーザーが不快に感じるまでに室内温度が上がることがあった。
【０００６】
本発明は、前記従来の課題を解決するもので、室内照度センサ異常発生時の省エネルギー運転を抑制し、ユーザーの不快感を低減させた空気調和機を提供することを目的とする。
【課題を解決するための手段】
【０００７】
前記従来の課題を解決するために、本発明の空気調和機は、室内照度センサと室内照度検出手段と室内照度センサ異常検知手段と室内設定温度シフト手段と制御部とリモコンと通信する通信手段とを備えた空気調和機であって、室内照度センサ異常検知手段が室内照度センサ検出値が所定値未満の状態を連続で所定時間検知した時に、室内照度センサの異常と判断するものである。
【０００８】
これによって、室内照度センサ異常発生時の省エネルギー運転を抑制し、ユーザーの不快感を低減させることができる。
【発明の効果】
【０００９】
本発明の空気調和機は、室内照度センサ異常発生時の省エネルギー運転を抑制し、ユーザーの不快感を低減させることができる。
【図面の簡単な説明】
【００１０】
【図１】本発明の実施の形態１における空気調和機のブロック図
【図２】本発明の実施の形態２における空気調和機のブロック図
【図３】本発明の実施の形態３における空気調和機のブロック図
【図４】従来の空気調和機のブロック図
【発明を実施するための形態】
【００１１】
第１の発明は、室内照度センサと室内照度検出手段と室内照度センサ異常検知手段と室内設定温度シフト手段と制御部とリモコンと通信する通信手段とを備えた空気調和機であって、室内照度センサ異常検知手段が室内照度センサ検出値が所定値未満の状態を連続で所定時間検知した時に、室内照度センサの異常と判断するもので、この構成をなすことにより、室内照度センサ異常発生時の省エネルギー運転を抑制し、ユーザーの不快感を低減させることができる。
【００１２】
第２の発明は、特に第1の発明において、異常解除手段を設け、特に、第１の発明の空気調和機の室内照度センサ異常検出時に、異常解除手段が室内照度センサ検出値が所定値以上の状態を連続で所定時間検知した時に、自動的に室内照度センサ異常を解除するもので、この構成をなすことにより、室内照度センサの修理および部品交換後に室内照度検出値による省エネルギー運転が行われないことを防止することができる。
【００１３】
第３の発明は、特に第1または２の発明において、異常検知判定手段を設け、特に、第１または第２の発明の室内照度センサ異常検出時に、異常検知判定手段が室内照度センサの異常を検知するかどうかを決定するもので、この構成をなすことにより、空気調和機の設置状況によって室内照度センサの異常を誤検知してしまうことを防止することができ、空気調和機の修理サービス費用を低減することができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における空気調和機１のブロック図を示すものである。図１において、空気調和機１は、室内機の設置場所付近の照度に応じて抵抗値が変化する室内照度センサ２と、室内照度センサの抵抗値を電圧値に変換して出力する室内照度検出手段３と、室内照度検出手段の出力電圧値の異常から室内照度センサの異常を検知する室内照度センサ異常検知手段４と、使用者が設定した設定温度を室内照度検出手段の出力電圧値に応じて自動的に設定温度を上下にシフトする室内設定温度シフト手段５と、制御部６とリモコン７と通信する通信手段８とから構成される。以上のように構成された空気調和機において、以下その動作、作用を説明する。
【００１６】
室内照度センサ２は、室内照度および日射量に応じた抵抗値（一例として１５ｋΩ）に応じた電圧（一例として２．４Ｖ）を出力する。室内照度検出手段３は、室内照度センサ２から出力される電圧値から室内照度を（一例として５００ルクス）検出する。
【００１７】
室内照度センサ異常検知手段４は、室内照度検出手段３で検出した室内照度および日射量が異常値（センサーオープン、センサーショート等）であるか否か検知する。
【００１８】
室内設定温度シフト手段５は、検出した室内照度および日射量が正常値の場合、室内照度および日射量より空気調和機１の室内設定温度を省エネルギー（例えば、１０００ルクス以上で冷房時設定温度を１℃上げる、１０００ルクス以上で暖房時設定温度を１℃下げる）となるようにシフトする。
【００１９】
制御部６は、室内温度と室内温度設定（例えば、冷房運転時２８℃）の差温に応じて、空気調和機２を運転制御する。通信手段８は、リモコン７と各種制御信号（運転ＯＮ、運転ＯＦＦ等）を送受信する。
【００２０】
以上のように構成された空気調和機１は、室内照度センサ異常検知手段４が室内照度センサ検出値が第１の所定値（一例として０．１Ｖ）未満の状態を連続で第１の所定時間（
一例として２４時間）検知した時に、室内照度センサ２の異常と判断するものである。
【００２１】
ここで、第１の所定値は、照度センサが正常ならば通常の日射や照明で出力される電圧よりも小さく、連続的なノイズにより検出される電圧値よりも大きな電圧値、第１の所定時間は、太陽光または照明により室内照度センサ周囲が明るくなり、照度センサが正常であるならば所定の出力が得られる時間帯を必ず含む時間に設定する。
【００２２】
これによって、室内照度センサ異常発生時の省エネルギー運転を抑制し、ユーザーの不快感を低減させることができる。
【００２３】
尚、１回の検知だけで異常と判定せず、複数回の検知結果から異常と判定してもよい。
【００２４】
（実施の形態２）
図２は、本発明の実施の形態２における空気調和機のブロック図を示すものである。図２において、実施の形態１で説明した部分については同じ符号を用い説明を省略する。
【００２５】
異常解除手段９は、室内照度検出手段３で検出した室内照度により室内照度センサ異常を自動的に解除する。
【００２６】
以上のように構成された空気調和機１は、異常解除手段９が、室内照度センサ検出値が第１の所定値よりも大きい第２の所定値以上の状態を連続で第２の所定時間（一例として１０秒）検知した時に、自動的に室内照度センサ異常を解除するものである。
【００２７】
ここで、第２の所定値は第１の所定値よりも大きな値で、連続的なノイズにより検出される電圧値よりも大きな電圧値で、且つ、照度センサが正常ならば通常の日射や照明で出力される電圧より小さな電圧値、第２の所定時間は、照度センサが正常であるならば、周囲が明るい場合にノイズ等による一時的な偽の信号を除いて照度センサが正常と判断できる時間に設定する。
【００２８】
これによって、室内照度センサの修理および部品交換後に室内照度検出値による省エネルギー運転が行われないことを防止することができる。
【００２９】
（実施の形態３）
図３は、本発明の実施の形態３における空気調和機１のブロック図を示すものである。図３において、実施の形態１で説明した部分については同じ符号を用い説明を省略する。
【００３０】
異常検知判定手段１０は、リモコン７から受信した設定状態（例えば、異常検知する、異常検知しない）により室内照度センサ２の異常を検知するかどうかを決定する。
【００３１】
以上のように構成された空気調和機１は、異常検知判定手段１０が室内照度センサ異常検出時に、室内照度センサの異常を検知するかどうかを決定するものである。
【００３２】
これによって、空気調和機の設置状況によって室内照度センサの異常を誤検知してしまうことを防止することができる。
【産業上の利用可能性】
【００３３】
以上のように、本発明の空気調和機は、室内照度センサ異常発生時の運転における使用者の不快感を低減させることが可能となるので、空気調和機の運転制御に必要な物理量を検出する各種センサの機能異常発生時の運転等の用途にも適用できる。
【符号の説明】
【００３４】
１  空気調和機
２  室内照度センサ
３  室内照度検出手段
４  室内照度センサ異常検知手段
５  室内設定温度シフト手段
６  制御部
７  リモコン
８  通信手段
９  異常解除手段
１０  異常検知判定手段
【図１】
2011089657.tif 000003
【図２】
2011089657.tif 000004
【図３】
2011089657.tif 000005
【図４】
2011089657.tif 000006